(57)【要約】【課題】室内ユニットを天井から下方へ離間した状態で吊り下げて設置する場合でも、ドレンパンの傾斜角度を所定の設定角度に容易に合わせることが可能な冷却装置の室内ユニットを提供する。【解決手段】この冷却装置の室内ユニットは、筐体２に設けられ、その一端部にドレン水を排出するための排水口４ａを有するドレンパン４と、筐体２に設けられ、ドレンパン４の傾斜角度が所定の設定角度となるように筐体２を傾斜させたときに水平となる基準位置を示す水平基準部８と、筐体２を天井５０から吊り下げるとともにその筐体２の傾斜角度を調節可能な吊り下げ機構１０と、筐体２のうち排水口４ａ寄りの一側に前記基準位置と一方の水面とを比較できるように水盛管３０の一側を取り付けるための第１取付部１２ｅと、筐体２の他側に前記基準位置と他方の水面とを比較できるように水盛管３０の他側を取り付けるための第２取付部１４ｅとを備えている。【選択図】図４
2009287793.tif 000002
【特許請求の範囲】
【請求項１】
筐体２と、
前記筐体２に設けられ、その一端部にドレン水を排出するための排水口４ａを有するドレンパン４と、
前記筐体２に設けられ、前記ドレンパン４の傾斜角度が所定の設定角度となるように前記筐体２を傾斜させたときに水平となる基準位置を示す水平基準部８と、
前記筐体２を天井５０から吊り下げるとともにその筐体２の傾斜角度を調節可能な吊り下げ機構１０と、
前記筐体２のうち前記排水口４ａ寄りの一側に前記基準位置と一方の水面とを比較できるように水盛管３０の長手方向の一側を取り付けるための第１取付部１２ｅと、
前記筐体２の他側に前記基準位置と他方の水面とを比較できるように前記水盛管３０の長手方向の他側を取り付けるための第２取付部１４ｅとを備えた、冷却装置の室内ユニット。
【請求項２】
前記水平基準部８は、前記筐体２の前記一側に設けられた第１基準部１２と、前記筐体２の前記他側に設けられた第２基準部１４とを含み、
前記吊り下げ機構１０は、前記第１基準部１２を上下方向に位置調整可能に吊り下げる第１吊り下げ部１８と、前記第２基準部１４を上下方向に位置調整可能に吊り下げる第２吊り下げ部２０とを含む、請求項１に記載の冷却装置の室内ユニット。
【請求項３】
前記基準位置は、前記第１基準部１２の上端面及び前記第２基準部１４の上端面によって示され、
前記第１基準部１２は、前記第２基準部１４よりも大きな上下方向の寸法を有し、前記第１基準部１２と前記第２基準部１４は、それらの上端面が水平に揃ったときに前記ドレンパン４の傾斜角度が前記所定の設定角度となるような上下方向の寸法差を有する、請求項２に記載の冷却装置の室内ユニット。
【請求項４】
前記第１取付部１２ｅは、前記第１基準部１２に設けられている一方、前記第２取付部１４ｅは、前記第２基準部１４に設けられている、請求項２又は３に記載の冷却装置の室内ユニット。
【請求項５】
前記第１基準部１２と前記第２基準部１４は、前記筐体２の一側と他側を結ぶ方向と直交する水平方向に延びており、
前記第１取付部１２ｅは、前記第１基準部１２の長手方向の一端部に設けられているとともに、前記第２取付部１４ｅは、前記第２基準部１４において前記第１取付部１２ｅと同じ側の端部に設けられている、請求項４に記載の冷却装置の室内ユニット。
【請求項６】
前記第１基準部１２には、水平方向に並んで配設されるとともに上方に開口する一対の第１溝部１２ｆが設けられている一方、前記第２基準部１４には、水平方向に並んで配設されるとともに上方に開口する一対の第２溝部１４ｆが設けられており、
前記第１取付部１２ｅは、前記第１基準部１２の前記一対の第１溝部１２ｆ間に挟まれた部分からなり、前記第２取付部１４ｅは、前記第２基準部１４の前記一対の第２溝部１４ｆ間に挟まれた部分からなる、請求項４又は５に記載の冷却装置の室内ユニット。
【発明の詳細な説明】
【技術分野】
【０００１】
本発明は、冷却装置の室内ユニットに関するものである。
【背景技術】
【０００２】
従来、天井の下側に設置する冷却装置の室内ユニットが知られている（例えば、特許文献１参照）。
【０００３】
図８には、上記特許文献１に開示された室内ユニット１０１の構成が示されている。この室内ユニット１０１は、筐体１０３を備えており、その筐体１０３の底部にはドレンパン１０３ａが設けられている。このドレンパン１０３ａの一側には、ドレン水を排出するための排水口１０５が設けられている。室内ユニット１０１は、ドレンパン１０３ａの傾斜角度が所定の設定角度となるように天井１５０の下面に傾斜した状態で取り付けられる。前記所定の設定角度は、筐体１０３内において発生したドレン水がドレンパン１０３ａ上を排水口１０５へ良好に流れるような角度となっている。
【０００４】
具体的には、室内ユニット１０１の筐体１０３の上部に当該室内ユニット１０１を天井１５０に固定するための支持部材１０７が取り付けられるようになっている。この支持部材１０７は、室内ユニット１０１の幅方向に延びており、その前記排水口１０５に近い側の端部に第１固定部１０７ａが設けられているとともに、反端側の端部に第２固定部１０７ｂが設けられている。この両固定部１０７ａ，１０７ｂは、その上面が天井１５０の下面に接触した状態で天井１５０にボルト止めされる部分である。
【０００５】
支持部材１０７において第１固定部１０７ａ近傍の部分には、折り曲げ加工によって形成された段差部１０７ｃが設けられている。この段差部１０７ｃの存在により、両固定部１０７ａ，１０７ｂを天井１５０に固定して室内ユニット１０１を天井１５０に取り付けたときに室内ユニット１０１のうち第１固定部１０７ａ側の部分が第２固定部１０７ｂ側の部分よりも下方に配置される。すなわち、排水口１０５の設けられた側が反対側に比べて下がるように室内ユニット１０１が傾斜配置される。そして、この際、天井１５０の下面を水平面と仮定し、その天井１５０の下面に接触する前記両固定部１０７ａ，１０７ｂの上面を水平の基準としてドレンパン１０３ａが前記所定の設定角度で傾斜するように前記段差部１０７ｃの高さが設定されている。
【特許文献１】特許第２５０８９２５号公報
【発明の開示】
【発明が解決しようとする課題】
【０００６】
ところで、床面からの天井１５０の位置が高い場合には、上記のように室内ユニット１０１が天井１５０の下面に近接した状態で設置されていると、その室内ユニット１０１から吹き出す冷気が床面上の対象物に届きにくくなり、対象物の冷却を良好に行うことが難しくなる。そこで、この場合には、前記支持部材１０７の両固定部１０７ａ，１０７ｂを天井１５０から吊り下げ部材によって吊り下げ、室内ユニット１０１の設置高さを下げることにより、室内ユニット１０１からの冷気を対象物に届きやすくすることが考えられる。
【０００７】
しかしながら、この場合には、天井１５０の下面から支持部材１０７の両固定部１０７ａ，１０７ｂの上面が離れるため、上記のように両固定部１０７ａ，１０７ｂの上面を天井１５０の下面に接触させてドレンパン１０３ａの傾斜の基準となる水平基準を設定することができなくなる。このため、ドレンパン１０３ａの傾斜角度を前記所定の設定角度に合わせることが難しくなる。
【０００８】
本発明は、上記のような課題を解決するためになされたものであり、その目的は、室内ユニットを天井から下方へ離間した状態で吊り下げて設置する場合でも、ドレンパンの傾斜角度を所定の設定角度に容易に合わせることが可能な冷却装置の室内ユニットを提供することである。
【課題を解決するための手段】
【０００９】
上記目的を達成するために、本発明による冷却装置の室内ユニットは、筐体２と、前記筐体２に設けられ、その一端部にドレン水を排出するための排水口４ａを有するドレンパン４と、前記筐体２に設けられ、前記ドレンパン４の傾斜角度が所定の設定角度となるように前記筐体２を傾斜させたときに水平となる基準位置を示す水平基準部８と、前記筐体２を天井５０から吊り下げるとともにその筐体２の傾斜角度を調節可能な吊り下げ機構１０と、前記筐体２のうち前記排水口４ａ寄りの一側に前記基準位置と一方の水面とを比較できるように水盛管３０の長手方向の一側を取り付けるための第１取付部１２ｅと、前記筐体２の他側に前記基準位置と他方の水面とを比較できるように前記水盛管３０の長手方向の他側を取り付けるための第２取付部１４ｅとを備えている。
【００１０】
この冷却装置の室内ユニットでは、吊り下げ機構１０によって筐体２を天井５０から吊り下げるとともにその筐体２の傾斜角度を調節できるようになっている。そして、この冷却装置の室内ユニットでは、ドレンパン４の傾斜角度が所定の設定角度となるように筐体２を傾斜させたときに水平となる基準位置を示す水平基準部８が筐体２に設けられているとともに、筐体２のうちドレンパン４の排水口４ａ寄りの一側に水盛管３０の一側を取り付けるための第１取付部１２ｅが設けられ、さらに筐体２の他側に水盛管３０の他側を取り付けるための第２取付部１４ｅが設けられている。このため、第１取付部１２ｅに水盛管３０の一側を取り付けるとともに第２取付部１４ｅに水盛管３０の他側を取り付け、その水盛管３０内の一方の水面の位置と前記基準位置との高さの差と水盛管３０内の他方の水面の位置と前記基準位置との高さの差とを比べながら、その両者が一致するように筐体２の傾斜を吊り下げ機構１０によって調節すれば、ドレンパン４の傾斜の基準となる水平基準を設定することができるとともにドレンパン４の傾斜角度を前記所定の設定角度に調節することができる。すなわち、この構成によれば、従来のように天井の下面を用いなくても水平基準を設定してドレンパン４の傾斜角度を所定の設定角度に合わせることができるので、室内ユニットを天井５０から下方へ離間した状態で吊り下げて設置する場合でも、ドレンパン４の傾斜角度を所定の設定角度に容易に合わせることができる。
【００１１】
また、この構成によれば、天井５０の下面が平らでない場合や、傾斜している場合でも、前記基準位置を水平に合わせることができ、ドレンパン４の傾斜角度を前記所定の設定角度に合わせることができる。すなわち、天井５０の下面の構造にかかわらず、ドレンパン４の傾斜角度を所定の設定角度に確実に合わせることができる。
【００１２】
上記冷却装置の室内ユニットにおいて、前記水平基準部８は、前記筐体２の前記一側に設けられた第１基準部１２と、前記筐体２の前記他側に設けられた第２基準部１４とを含み、前記吊り下げ機構１０は、前記第１基準部１２を上下方向に位置調整可能に吊り下げる第１吊り下げ部１８と、前記第２基準部１４を上下方向に位置調整可能に吊り下げる第２吊り下げ部２０とを含むことが好ましい。
【００１３】
この構成によれば、第１基準部１２を構成する部材と、第１吊り下げ部１８によって吊り下げる筐体２の前記一側の部分とを共通の部材によって構成することができるとともに、第２基準部１４を構成する部材と、第２吊り下げ部２０により吊り下げる筐体２の前記他側の部分とを共通の部材によって構成することができるので、それら各基準部１２，１４と各吊り下げ部１８，２０によって吊り下げる部分とが別々に設けられている場合に比べて、部品点数を削減することができる。また、第１吊り下げ部１８と第２吊り下げ部２０とにより筐体２の一側と他側を個別に上下に位置調整できるので、筐体２及びドレンパン４の傾斜角度を調整可能な吊り下げ機構１０の具体的な構造を構成することができる。
【００１４】
この場合において、前記基準位置は、前記第１基準部１２の上端面及び前記第２基準部１４の上端面によって示され、前記第１基準部１２は、前記第２基準部１４よりも大きな上下方向の寸法を有し、前記第１基準部１２と前記第２基準部１４は、それらの上端面が水平に揃ったときに前記ドレンパン４の傾斜角度が前記所定の設定角度となるような上下方向の寸法差を有することが好ましい。
【００１５】
この構成では、天井５０の下面が水平面である場合には、第１基準部１２の上端面及び第２基準部１４の上端面を天井５０の下面に接触させた状態で室内ユニットを天井５０に取り付けることにより、ドレンパン４の傾斜角度を第１基準部１２と第２基準部１４の上下方向の寸法差に応じた前記所定の設定角度に合わせることも可能である。すなわち、この構成によれば、室内ユニットを天井５０から下方へ離間して吊り下げる場合のみならず、第１基準部１２及び第２基準部１４の上端面を天井５０の下面に接触させて室内ユニットを天井５０に近接した位置に設置する場合でも、ドレンパン４の傾斜角度を設定角度に合わせることができる。これにより、それら両方の場合に共通の室内ユニットで対応することができ、それら各場合ごとに対応する構成の室内ユニットをそれぞれ準備する場合に比べて、構成部品の種類が増大するのを抑制することができる。
【００１６】
上記水平基準部８が第１基準部１２と第２基準部１４とを含む構成において、前記第１取付部１２ｅは、前記第１基準部１２に設けられている一方、前記第２取付部１４ｅは、前記第２基準部１４に設けられていることが好ましい。
【００１７】
このように構成すれば、第１取付部１２ｅが第１基準部１２とは別に離れて設けられているとともに第２取付部１４ｅが第２基準部１４とは別に離れて設けられている場合に比べて、第１取付部１２ｅに取り付けられる水盛管３０の一側と第１基準部１２との間の距離及び第２取付部１４ｅに取り付けられる水盛管３０の他側と第２基準部１４との間の距離が小さくなる。このため、水盛管３０内の一方の水面の位置と前記基準位置との高さの差及び水盛管３０内の他方の水面の位置と前記基準位置との高さの差が測定しやすくなり、ドレンパン４の傾斜角度を所定の設定角度により合わせやすくなる。
【００１８】
この場合において、前記第１基準部１２と前記第２基準部１４は、前記筐体２の一側と他側を結ぶ方向と直交する水平方向に延びており、前記第１取付部１２ｅは、前記第１基準部１２の長手方向の一端部に設けられているとともに、前記第２取付部１４ｅは、前記第２基準部１４において前記第１取付部１２ｅと同じ側の端部に設けられていることが好ましい。
【００１９】
このように構成すれば、第１取付部１２ｅに対する水盛管３０の一側の取り付け作業と第２取付部１４ｅに対する水盛管３０の他側の取り付け作業とを第１基準部１２と第２基準部１４の長手方向における同じ側で行うことができるため、第１取付部１２ｅと第２取付部１４ｅが互いに反対側に設けられている場合に比べて各取付部１２ｅ，１４ｅに対する水盛管３０の取り付け作業を容易に行うことができる。また、水盛管３０内の一方の水面の位置と前記基準位置との高さの差と水盛管３０内の他方の水面の位置と前記基準位置との高さの差とを測定してその両者を比較する作業を両基準部１２，１４の長手方向における同じ側で行うことができるため、その比較作業を容易に行うことができる。
【００２０】
上記第１取付部１２ｅが第１基準部１２に設けられている一方、第２取付部１４ｅが第２基準部１４に設けられている構成において、前記第１基準部１２には、水平方向に並んで配設されるとともに上方に開口する一対の第１溝部１２ｆが設けられている一方、前記第２基準部１４には、水平方向に並んで配設されるとともに上方に開口する一対の第２溝部１４ｆが設けられており、前記第１取付部１２ｅは、前記第１基準部１２の前記一対の第１溝部１２ｆ間に挟まれた部分からなり、前記第２取付部１４ｅは、前記第２基準部１４の前記一対の第２溝部１４ｆ間に挟まれた部分からなることが好ましい。
【００２１】
この構成では、各基準部１２，１４の一部によって各取付部１２ｅ，１４ｅが形成されているので、各基準部１２，１４に別部材を取り付けることによって各取付部を形成する場合に比べて部品点数が増大するのを抑制することができる。また、各取付部１２ｅ（１４ｅ）が上方に開口する一対の溝部１２ｆ，１２ｆ（１４ｆ，１４ｆ）間に挟まれた部分からなるので、水盛管３０を輪ゴムやその他の係止部材１３によって各取付部１２ｅ，１４ｅに取り付ける際にその係止部材１３を上方から前記一対の溝部１２ｆ，１２ｆ（１４ｆ，１４ｆ）に挿し込むことができる。このため、各取付部が各基準部１２，１４において隣接して形成された一対の孔部間の部分からなるような場合に比べて、水盛管３０を各取付部１２ｅ，１４ｅに取り付ける作業を容易に行うことができる。
【発明の効果】
【００２２】
以上説明したように、本発明によれば、室内ユニットを天井から下方へ離間した状態で吊り下げて設置する場合でも、ドレンパン４の傾斜角度を所定の設定角度に容易に合わせることができる。
【発明を実施するための最良の形態】
【００２３】
以下、本発明の実施形態を図面を参照して説明する。
【００２４】
図１は、本発明の一実施形態による冷却装置の室内ユニットの全体構成を概略的に示した斜視図である。図２は、図１に示した室内ユニットの上面図であり、図３は、図１に示した室内ユニットの長手方向の側面図である。図４は、図１に示した室内ユニットに水盛管３０を取り付けた状態を示したその室内ユニットの幅方向の側面図である。図５は、図１に示した室内ユニットの各基準部１２，１４の取付部１２ｅ，１４ｅ近傍の構造を部分的に示した斜視図であり、図６は、図５に示した各取付部１２ｅ，１４ｅに水盛管３０を取り付けた状態を示した図である。まず、図１〜図６を参照して、本発明の一実施形態による冷却装置の室内ユニットの構成について説明する。
【００２５】
本実施形態による冷却装置の室内ユニットは、例えば冷蔵庫の内部に設置されるものであり、その冷蔵庫の天井５０から吊り下げて設置するタイプのものである。
【００２６】
具体的には、本実施形態による冷却装置の室内ユニットは、図１及び図４に示すように、筐体２と、ドレンパン４と、図略の冷却機構と、水平基準部８と、吊り下げ機構１０とを備えている。
【００２７】
前記筐体２は、平型の箱体に形成されており、その内部に前記図略の冷却機構が収容されている。筐体２の幅方向の両端に位置する各側壁には、吹出し口２ａがそれぞれ形成されているとともに、その各吹出し口２ａには、グリル３がそれぞれ嵌め込まれている。また、筐体２には、筐体２内において発生したドレン水を受けるための前記ドレンパン４が一体的に設けられている。このドレンパン４は、筐体２の底部に設けられており、筐体２の底板を兼ねている。そして、筐体２は、その長手方向のどの箇所でも同じ上下方向の寸法を有しており、筐体２の上板の上面と前記ドレン水が流れるドレンパン４の上面とは互いに平行に配置されている。ドレンパン４には、図略の複数の吸気口が筐体２の長手方向に間隔をあけて設けられており、その各吸気口にグリル５が取り付けられている。また、ドレンパン４の長手方向の一端部には、ドレン水を排出するための排水口４ａが設けられている。
【００２８】
前記図略の冷却機構は、筐体２内において前記各吸気口ごとにそれぞれ配設された図略のファンと、筐体２内において前記各吹出し口２ａの手前にそれぞれ配設された図略の熱交換器とを有する。この冷却機構では、各ファンの駆動により前記各グリル５及び各吸気口を通じて筐体２内に外気を取り込み、その取り込んだ空気を前記熱交換器によって冷却した後、各吹出し口２ａから筐体２の外部へ吹き出させる。
【００２９】
前記水平基準部８は、ドレンパン４の傾斜角度が所定の設定角度となるように筐体２を傾斜させたときに水平となる基準位置を示すものである。なお、前記所定の設定角度は、ドレン水がドレンパン４上を排水口４ａへ向かって良好に流れてその排水口４ａから排出されるような角度である。この水平基準部８は、第１基準部１２と、第２基準部１４とからなる。これら各基準部１２，１４は、図２に示すように、筐体２の上板の上面上に設けられているとともに、筐体２の長手方向に所定間隔をあけて配置されている。各基準部１２，１４は、筐体２の幅方向に水平かつ直線的に延びる断面Ｕ字状の金属材からなり、図３に示すように、その長手方向の両端部が筐体２の幅方向両側に突出している。そして、これら各基準部１２，１４の上端面によって前記基準位置が示されるようになっている。
【００３０】
具体的には、第１基準部１２は、筐体２の上板の長手方向の両端部のうち前記排水口４ａ寄りの端部上に設けられている。この第１基準部１２は、筐体２の上板に固定された平板状の底部１２ａと、その底部１２ａの幅方向の両端からそれぞれ垂直に立ち上げられた側板部１２ｂ，１２ｂとを有する。
【００３１】
前記底部１２ａの長手方向の一端部には、図２に示すように、貫通孔１２ｃが設けられており、他端部には、切欠き部１２ｄが設けられている。
【００３２】
前記両側板部１２ｂ，１２ｂのうち筐体２の長手方向の中心部側に位置する一方の側板部１２ｂの上端面は、図４に示すように筐体２が傾斜配置されたときに他方の側板部１２ｂの上端面よりもわずかに上方に位置し、前記基準位置を示す部分となる。この一方の側板部１２ｂには、図５に示すように、第１取付部１２ｅが設けられている。この第１取付部１２ｅは、前記一方の側板部１２ｂのうち前記貫通孔１２ｃ側の端部であって、筐体２から突出した部分に設けられている。この第１取付部１２ｅは、前記基準位置、すなわち前記一方の側板部１２ｂの上端面の位置と水盛管３０内の一方の水面の位置とを比較できるようにその水盛管３０の長手方向の一側を取り付けるためのものである。前記一方の側板部１２ｂには、その長手方向に並んで配置されるとともに上方に開口するように形成された一対の第１溝部１２ｆ，１２ｆが設けられており、第１取付部１２ｅは、この一対の第１溝部１２ｆ，１２ｆ間に挟まれた部分からなる。
【００３３】
第１取付部１２ｅには、筐体２を傾斜させてドレンパン４の傾斜角度を調節する際、水盛管３０の前記一側が図６に示すように輪ゴムや結束バンド等の係止部材１３によって固定される。水盛管３０は、内部に水が注入される透明なホース等からなり、略Ｕ字状を呈するように設けられる。水盛管３０の一側は、第１取付部１２ｅに添うように配設された状態で第１取付部１２ｅに固定される。
【００３４】
第２基準部１４は、筐体２の上板において前記第１基準部１２と反対側の端部上に設けられている。この第２基準部１４は、前記第１基準部１２と基本的に同様に構成されており、前記底部１２ａ、前記側板部１２ｂ，１２ｂ、前記貫通孔１２ｃ及び前記切欠き部１２ｄに対応する底部１４ａ、側板部１４ｂ，１４ｂ、貫通孔１４ｃ及び切欠き部１４ｄを有する。この第２基準部１４では、両側板部１４ｂ，１４ｂのうち筐体２の長手方向外側に位置する一方の側板部１４ｂの上端面が、筐体２が図４に示すように傾斜配置されたときに他方の側板部１４ｂの上端面よりもわずかに上方に位置し、前記基準位置を示す部分となる。この第２基準部１４の側板部１４ｂ，１４ｂは、第１基準部１２の側板部１２ｂ，１２ｂに比べて上下方向の寸法が小さい。換言すると、前記第１基準部１２は、第２基準部１４よりも大きな上下方向の寸法を有している。第１基準部１２と第２基準部１４は、それらの前記一方の側板部１２ｂ，１４ｂの上端面が水平に揃ったときにドレンパン４の傾斜角度が前記所定の設定角度となるような上下方向の寸法差を有する。
【００３５】
第２基準部１４の前記一方の側板部１４ｂには、前記第１基準部１２に設けられた第１取付部１２ｅと同様の位置に第２取付部１４ｅが設けられている。この第２取付部１４ｅは、前記基準位置、すなわち前記一方の側板部１４ｂの上端面の位置と水盛管３０内の他方の水面の位置とを比較できるようにその水盛管３０の長手方向の他側を取り付けるためのものである。この第２取付部１４ｅには、その長手方向に並んで配置されるとともに上方に開口するように形成された一対の第２溝部１４ｆ，１４ｆが設けられており、第２取付部１４ｅは、この一対の第２溝部１４ｆ，１４ｆ間に挟まれた部分からなる。そして、第２取付部１４ｅには、筐体２を傾斜させてドレンパン４の傾斜角度を調節する際、水盛管３０の前記他側が前記第１取付部１２ｅの場合と同様にして係止部材１３により固定される。
【００３６】
また、筐体２の上板の長手方向の中心部上、すなわち前記第１基準部１２と前記第２基準部１４との間のちょうど真中の位置には、前記吊り下げ機構１０の後述する第３吊り下げ部２２，２２により吊り下げられて支持される支持フレーム１６が設けられている。この支持フレーム１６は、前記第１基準部１２と基本的に同様に構成されており、前記底部１２ａ、前記側板部１２ｂ，１２ｂ、前記貫通孔１２ｃ及び前記切欠き部１２ｄに対応する底部１６ａ、側板部１６ｂ，１６ｂ、貫通孔１６ｃ及び切欠き部１６ｄを有する。
【００３７】
ただし、この支持フレーム１６には、前記取付部１２ｅ及びその取付部１２ｅを形成するための前記第１溝部１２ｆ，１２ｆに対応するものが設けられていない。また、支持フレーム１６の側板部１６ｂ，１６ｂの上下方向の寸法は、第１基準部１２の側板部１２ｂ，１２ｂの上下方向の寸法と第２基準部１４の側板部１４ｂ，１４ｂの上下方向の寸法との中間の寸法となっている。すなわち、前記排水口４ａ側から遠ざかるにつれて第１基準部１２、支持フレーム１６、第２基準部１４の順番で上下方向の寸法が段階的に小さくなるように構成されている。そして、ドレンパン４の傾斜角度が前記所定の設定角度となるように筐体２が傾斜配置されると、各基準部１２，１４及び支持フレーム１６の一方の側板部１２ｂ，１４ｂ，１６ｂの上端面が水平に揃うようになっている。
【００３８】
前記吊り下げ機構１０は、図４に示すように、筐体２を冷蔵庫の天井５０から吊り下げるものであり、その筐体２の傾斜角度を調節可能に構成されている。具体的には、吊り下げ機構１０は、一対の第１吊り下げ部１８，１８と、一対の第２吊り下げ部２０，２０と、一対の第３吊り下げ部２２，２２とを有する。
【００３９】
前記一対の第１吊り下げ部１８，１８は、前記第１基準部１２を冷蔵庫の天井５０から上下方向に位置調整可能に吊り下げるものである。この一対の第１吊り下げ部１８，１８のうち一方の第１吊り下げ部１８は、第１基準部１２の一端部を吊り下げ、他方の第１吊り下げ部１８は、第１基準部１２の他端部を吊り下げる。各第１吊り下げ部１８は、固定部材１８ａと、ボルト１８ｂと、ナット１８ｃとを有する。
【００４０】
前記固定部材１８ａは、冷蔵庫の天井５０の上面に設置されている。前記ボルト１８ｂは、冷蔵庫の天井５０に形成された貫通孔５０ａに挿通されるとともにその頭部が前記固定部材１８ａによって固定されている。これにより、ボルト１８ｂは、天井５０から下方に垂直に延びる姿勢で天井５０に取り付けられている。そして、ボルト１８ｂの下端部は、第１基準部１２の貫通孔１２ｃ又は切欠き部１２ｄに挿通されている。前記ナット１８ｃは、第１基準部１２の下側でボルト１８ｂの下端部に螺合しており、第１基準部１２を下側から支持している。このナット１８ｃをボルト１８ｂに対して回転させて上下に移動させることにより、第１基準部１２の上下位置、すなわち筐体２の排水口４ａ側の端部の上下位置を調節できるようになっている。
【００４１】
前記一対の第２吊り下げ部２０，２０は、前記第２基準部１４を冷蔵庫の天井５０から上下方向に位置調整可能に吊り下げるものである。この一対の第２吊り下げ部２０のうち一方の第２吊り下げ部２０は、第２基準部１４の一端部を吊り下げ、他方の第２吊り下げ部２０は、第２基準部１４の他端部を吊り下げる。各第２吊り下げ部２０の構成は、前記各第１吊り下げ部１８の構成と同様であり、固定部材２０ａと、ボルト２０ｂと、ナット２０ｃとを有する。
【００４２】
前記一対の第３吊り下げ部２２，２２は、前記支持フレーム１６を冷蔵庫の天井５０から上下方向に位置調整可能に吊り下げるものである。この一対の第３吊り下げ部２２，２２のうち一方の第３吊り下げ部２２は、支持フレーム１６の一端部を吊り下げ、他方の第３吊り下げ部２２は、支持フレーム１６の他端部を吊り下げる。各第３吊り下げ部２２の構成は、前記各第１吊り下げ部１８の構成と同様であり、固定部材２２ａと、ボルト２２ｂと、ナット２２ｃとを有する。
【００４３】
そして、これら各吊り下げ部１８，２０，２２により各基準部１２，１４及び支持フレーム１６の上下位置を個別に調節することによって筐体２の傾斜角度を調節できるようになっている。
【００４４】
次に、本実施形態による冷却装置の室内ユニットを冷蔵庫の天井５０に取り付ける際の作業工程について説明する。
【００４５】
まず、この取り付け作業の際には、各吊り下げ部１８，２０，２２のボルト１８ｂ，２０ｂ，２２ｂを天井５０のそれぞれの設置箇所に対応する固定部材１８ａ，２０ａ，２２ａによって下方へ垂直に延びるように固定する。その後、各ボルト１８ｂ，２０ｂ，２２ｂの下端部を筐体２の対応する各基準部１２，１４及び支持フレーム１６の貫通孔１２ｃ，１４ｃ，１６ｃ又は切欠き部１２ｄ，１４ｄ，１６ｄに挿通させ、各基準部１２，１４及び支持フレーム１６の下側で各ボルト１８ｂ，２０ｂ，２２ｂの下端部にナット１８ｃ，２０ｃ，２２ｃを螺合させる。これにより、室内ユニットが天井５０から吊り下げられる。
【００４６】
次に、第１基準部１２の第１取付部１２ｅに水盛管３０の長手方向の一側を固定するとともに、第２基準部１４の第２取付部１４ｅに水盛管３０の長手方向の他側を固定し、水盛管３０を図４に示すような略Ｕ字状となるように配設する。この際、水盛管３０の一側を前記第１取付部１２ｅに添わせた状態で係止部材１３を第１溝部１２ｆ，１２ｆに上方から挿し込むとともに、その係止部材１３によって水盛管３０の一側を第１取付部１２ｅに結束する。また、同様にして水盛管３０の他側を第２取付部１４ｅに結束する。そして、水盛管３０の一側と他側にそれぞれ水面が形成されるまで水盛管３０内に水を注入する。
【００４７】
この後、第１基準部１２のうち筐体２の長手方向の中心部側に位置する一方の側板部１２ｂの上端面の位置と水盛管３０の一側内の水面の位置との高さの差を測定器で測定するとともに、第２基準部１４のうち筐体２の長手方向外側に位置する一方の側板部１４ｂの上端面の位置と水盛管３０の他側内の水面の位置との高さの差を測定器で測定する。そして、その測定した両方の高さの差が一致するように各吊り下げ部１８，２０，２２のナット１８ｃ，２０ｃ，２２ｃを回転させて各基準部１２，１４及び支持フレーム１６の上下位置の調節を行い、筐体２の傾斜角度を調節する。このようにして、前記測定した両方の高さの差が一致すると、各基準部１２，１４及び支持フレーム１６の一方の側板部１２ｂ，１４ｂ，１６ｂの上端面の位置が水平に揃い、それに伴ってドレンパン４の傾斜角度が前記所定の設定角度となるように筐体２が傾斜配置される。
【００４８】
以上説明したように、本実施形態では、第１取付部１２ｅに水盛管３０の一側を取り付けるとともに第２取付部１４ｅに水盛管３０の他側を取り付け、その水盛管３０の一側内の一方の水面の位置と前記基準位置（第１基準部１２の一方の側板部１２ｂの上端面の位置）との高さの差と水盛管３０の他側内の他方の水面の位置と前記基準位置（第２基準部１４の一方の側板部１４ｂの上端面の位置）との高さの差とを比べながら、その両者が一致するように筐体２の傾斜を吊り下げ機構１０によって調節すれば、ドレンパン４の傾斜の基準となる水平基準を設定することができるとともにドレンパン４の傾斜角度を前記所定の設定角度に調節することができる。従って、本実施形態によれば、従来のように天井の下面を用いなくても水平基準を設定してドレンパン４の傾斜角度を所定の設定角度に合わせることができるので、室内ユニットを天井５０から下方へ離間した状態で吊り下げて設置する場合でも、ドレンパン４の傾斜角度を所定の設定角度に容易に合わせることができる。
【００４９】
また、本実施形態では、天井５０の下面が平らでない場合や、傾斜している場合でも、前記基準位置、すなわち各基準部１２，１４の一方の側板部１２ｂ，１４ｂの上端面の位置を水平に揃えることができ、ドレンパン４の傾斜角度を前記所定の設定角度に合わせることができる。従って、天井５０の下面の構造にかかわらず、ドレンパン４の傾斜角度を所定の設定角度に確実に合わせることができる。
【００５０】
また、本実施形態では、吊り下げ機構１０の各吊り下げ部１８，２０が各基準部１２，１４を上下方向に位置調整可能に吊り下げるので、各基準部１２，１４を構成する部材と各吊り下げ部１８，２０によって吊り下げる部材とを共通の部材によって構成することができる。このため、それら各基準部１２，１４と各吊り下げ部１８，２０によって吊り下げる部材とが別々に設けられている場合に比べて、部品点数を削減することができる。
【００５１】
また、本実施形態では、前記基準位置が各基準部１２，１４の一方の側板部１２ｂ，１４ｂの上端面によって示され、各基準部１２，１４が、それらの上端面が水平に揃ったときにドレンパン４の傾斜角度が前記所定の設定角度となるような上下方向の寸法差を有する。このため、本実施形態では、天井５０の下面が水平面となっている場合には、図７に示すように、各基準部１２，１４の上端面を天井５０の下面に接触させた状態で室内ユニットを天井５０に取り付けることにより、ドレンパン４の傾斜角度を各基準部１２，１４の上下方向の寸法差に応じた前記所定の設定角度に合わせることも可能である。すなわち、本実施形態では、室内ユニットを天井５０から下方へ離間して吊り下げる場合のみならず、各基準部１２，１４の上端面を天井５０の下面に接触させて室内ユニットを天井５０に近接した位置に設置する場合でも、ドレンパン４の傾斜角度を設定角度に合わせることができる。これにより、それら両方の場合に共通の室内ユニットで対応することができ、それら各場合ごとに対応する構成の室内ユニットをそれぞれ準備する場合に比べて、構成部品の種類が増大するのを抑制することができる。
【００５２】
また、本実施形態では、水盛管３０の一側を取り付けるための第１取付部１２ｅが第１基準部１２に設けられている一方、水盛管３０の他側を取り付けるための第２取付部１４ｅが第２基準部１４に設けられているので、第１取付部１２ｅが第１基準部１２とは別に離れて設けられているとともに第２取付部１４ｅが第２基準部１４とは別に離れて設けられている場合に比べて、水盛管３０の一側と第１基準部１２との間の距離及び水盛管３０の他側と第２基準部１４との間の距離が小さくなる。このため、水盛管３０内の一方の水面の位置と前記基準位置との高さの差及び水盛管３０内の他方の水面の位置と前記基準位置との高さの差が測定しやすくなり、ドレンパン４の傾斜角度を所定の設定角度により合わせやすくなる。
【００５３】
また、本実施形態では、第１取付部１２ｅと第２取付部１４ｅが、各基準部１２，１４において長手方向の同じ側の端部に設けられているので、第１取付部１２ｅに対する水盛管３０の一側の取り付け作業と第２取付部１４ｅに対する水盛管３０の他側の取り付け作業とを各基準部１２，１４の長手方向における同じ側で行うことができる。このため、第１取付部１２ｅと第２取付部１４ｅが互いに反対側に設けられている場合に比べて各取付部１２ｅ，１４ｅに対する水盛管３０の取り付け作業を容易に行うことができる。また、水盛管３０内の一方の水面の位置と前記基準位置との高さの差と水盛管３０内の他方の水面の位置と前記基準位置との高さの差とを測定してその両者を比較する作業を両基準部１２，１４の長手方向における同じ側で行うことができるため、その比較作業を容易に行うことができる。
【００５４】
また、本実施形態では、第１取付部１２ｅが、第１基準部１２の一対の第１溝部１２ｆ，１２ｆ間に挟まれた部分からなるとともに、第２取付部１４ｅが、第２基準部１４の一対の第２溝部１４ｆ，１４ｆ間に挟まれた部分からなり、各取付部１２ｅ，１４ｅが各基準部１２，１４の一部によって形成されている。このため、各基準部１２，１４に別部材を取り付けることによって各取付部を形成する場合に比べて部品点数が増大するのを抑制することができる。また、各取付部１２ｅ（１４ｅ）が上方に開口する一対の溝部１２ｆ，１２ｆ（１４ｆ，１４ｆ）間に挟まれた部分からなるので、水盛管３０を輪ゴムやその他の係止部材１３によって各取付部１２ｅ，１４ｅに取り付ける際にその係止部材１３を上方から前記一対の溝部１２ｆ，１２ｆ（１４ｆ，１４ｆ）に挿し込むことができる。このため、各取付部が各基準部１２，１４において隣接して形成された一対の孔部間の部分からなり、その孔部に係止部材を通さないと各取付部に水盛管３０を固定できないような場合に比べて、水盛管３０を各取付部１２ｅ，１４ｅに取り付ける作業を容易に行うことができる。
【００５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００５６】
例えば、上記実施形態では、各基準部１２，１４を構成する部材と各吊り下げ部１８，２０によって吊り下げる部材とを共通の部材によって構成したが、各基準部１２，１４を構成する部材と各吊り下げ部１８，２０によって吊り下げる部分とは別々に設けられていてもよい。
【００５７】
また、各基準部１２，１４と水盛管３０を取り付けるための各取付部とが筐体２に別々に設けられていてもよい。
【００５８】
また、水盛管３０を取り付けるための各取付部の構造は、上記実施形態で示した構造に限らず、水盛管３０を取り付け可能であればどのような構造であってもよい。
【００５９】
また、冷蔵庫に設ける冷却装置の室内ユニット以外の種々の冷却装置の室内ユニットにも本発明を適用することが可能である。
【図面の簡単な説明】
【００６０】
【図１】本発明の一実施形態による冷却装置の室内ユニットの全体構成を概略的に示した斜視図である。
【図２】図１に示した室内ユニットの上面図である。
【図３】図１に示した室内ユニットの長手方向の側面図である。
【図４】図１に示した室内ユニットに水盛管を取り付けた状態を示したその室内ユニットの幅方向の側面図である。
【図５】図１に示した室内ユニットの水平基準部の取付部近傍の構造を部分的に示した斜視図である。
【図６】図５に示した水平基準部の取付部に水盛管を取り付けた状態を示した図である。
【図７】本発明の一実施形態による冷却装置の室内ユニットを天井の下面に当接させて設置した状態を示すその室内ユニットの長手方向の側面図である。
【図８】従来の冷却装置の室内ユニットの縦断面図である。
【符号の説明】
【００６１】
２  筐体
４  ドレンパン
４ａ  排水口
８  水平基準部
１０  吊り下げ機構
１２  第１基準部
１２ｅ  第１取付部
１２ｆ  第１溝部
１４  第２基準部
１４ｅ  第２取付部
１４ｆ  第２溝部
１８  第１吊り下げ部
２０  第２吊り下げ部
３０  水盛管
５０  天井
【図１】
2009287793.tif 000003
【図２】
2009287793.tif 000004
【図３】
2009287793.tif 000005
【図４】
2009287793.tif 000006
【図５】
2009287793.tif 000007
【図６】
2009287793.tif 000008
【図７】
2009287793.tif 000009
【図８】
2009287793.tif 000010